(57)【要約】【課題】分割コンテンツを表示させながら作業を進める際のユーザの利便性を向上させることが可能な情報端末装置を提供する。【解決手段】このタブレット１００（情報端末装置）は、表示部８と、ユーザに対して作業手順を教示するウェブコンテンツ１０を解析して作業手順に沿って複数の分割コンテンツ２０ａ〜２０ｈに分割するとともに、複数の分割コンテンツ２０ａ〜２０ｈを順次表示する際に、表示の動作の進行に関する問い合わせを行う制御部９とを備える。【選択図】図１
2013161446.tif 000002
【特許請求の範囲】
【請求項１】
表示部と、
ユーザに対して作業手順を教示する教示型コンテンツを解析して前記作業手順に沿って複数の分割コンテンツに分割するとともに、前記複数の分割コンテンツを順次表示する際に、表示の動作の進行に関する問い合わせを行う制御部とを備える、情報端末装置。
【請求項２】
前記制御部は、前記教示型コンテンツに含まれるテキスト情報に基づいて前記教示型コンテンツを解析して前記作業手順に沿って前記複数の分割コンテンツに分割するように構成されている、請求項１に記載の情報端末装置。
【請求項３】
前記制御部は、前記テキスト情報に含まれる書式情報に基づいて、前記教示型コンテンツを解析して前記作業手順に沿って前記複数の分割コンテンツに分割するように構成されている、請求項２に記載の情報端末装置。
【請求項４】
前記制御部は、前記テキスト情報が含む情報量に応じた時間、前記分割コンテンツを表示する制御を行うように構成されている、請求項２または３に記載の情報端末装置。
【請求項５】
前記制御部は、前記テキスト情報に時間情報が含まれる場合に、前記時間情報が所定時間以上の場合には、前記分割コンテンツを表示した後、残りの時間、別の動作を行うように構成されている、請求項２〜４のいずれか１項に記載の情報端末装置。
【請求項６】
前記制御部は、前記教示型コンテンツの前記テキスト情報の配置位置に基づいて左側から右側に向かって、かつ、上方から下方に向かって前記テキスト情報を順次分割することにより、前記教示型コンテンツを前記作業手順に沿うように前記複数の分割コンテンツに分割するように構成されている、請求項２〜５のいずれか１項に記載の情報端末装置。
【請求項７】
前記制御部は、前記作業手順に沿って分割された前記複数の分割コンテンツの表示が切り替えられるタイミングで前記表示の動作の進行に関する問い合わせを行う、請求項１〜６のいずれか１項に記載の情報端末装置。
【請求項８】
前記制御部は、前記複数の分割コンテンツの表示が切り替えられるタイミングで、表示の動作の進行に関する問い合わせとして次の前記分割コンテンツを表示してよいかの問い合わせを行うように構成されている、請求項７に記載の情報端末装置。
【請求項９】
前記制御部は、前記表示の動作の進行に関する問い合わせとして、前記複数の分割コンテンツを一覧表示して次に表示する前記分割コンテンツをユーザに選択するよう問い合わせるように構成されている、請求項１〜８のいずれか１項に記載の情報端末装置。
【請求項１０】
前記制御部は、前記作業手順に沿って分割された前記複数の分割コンテンツを拡大して前記表示部に表示するように構成されている、請求項１〜９のいずれか１項に記載の情報端末装置。
【請求項１１】
音声を再生可能な音声再生部をさらに備え、
前記制御部は、前記分割コンテンツが含むテキスト情報を音声に変換し、変換された前記音声を前記音声再生部から再生する制御を行うように構成されている、請求項１〜１０のいずれか１項に記載の情報端末装置。
【請求項１２】
ネットワークに接続可能な通信部をさらに備え、
前記通信部は、前記ネットワークを介して前記教示型コンテンツを取得し、
前記制御部は、前記通信部がネットワークを介して取得した前記教示型コンテンツを解析して前記作業手順に沿って前記複数の分割コンテンツに分割するように構成されている、請求項１〜１１のいずれか１項に記載の情報端末装置。
【請求項１３】
前記教示型コンテンツを解析して前記作業手順に沿って分割された前記複数の分割コンテンツを記憶する記憶部をさらに備え、
前記制御部は、前記記憶部に記憶された前記複数の分割コンテンツを順次表示する制御を行うように構成されている、請求項１〜１２のいずれか１項に記載の情報端末装置。
【請求項１４】
前記表示の動作の進行に関する問い合わせに対して、音声による指示情報を受け付けるマイクロフォン、映像による指示情報を受け付けるカメラおよび振動による指示情報を受け付ける振動センサのうちの少なくとも１つをさらに備え、
前記制御部は、前記マイクロフォン、前記カメラおよび前記振動センサのうちの少なくとも１つから受け付けられた前記表示の動作の問い合わせに対する指示情報に基づいて、前記複数の分割コンテンツの表示動作を制御するように構成されている、請求項１〜１３のいずれか１項に記載の情報端末装置。
【発明の詳細な説明】
【技術分野】
【０００１】
この発明は、情報端末装置に関し、特に、教示型コンテンツを複数の分割コンテンツに分割する情報端末装置に関する。
【背景技術】
【０００２】
従来、教示型コンテンツを複数の分割ファイルに分割する装置を備えたシステムが知られている（たとえば、特許文献１参照）。
【０００３】
上記特許文献１には、ユーザに対して料理手順を教示する料理番組による情報（教示型コンテンツ）を複数の分割ファイルに分割する自動編集再生装置と、その分割ファイルに対応する画像を表示する画像表示装置とを備えた料理レシピ編集提示システムが開示されている。この料理レシピ編集提示システムは、分割された分割ファイルのうち画像表示装置に表示される所望の分割ファイルをユーザが選択可能に構成されている。これにより、料理手順の見たい部分（分割ファイル）を選択的に視聴することが可能である。
【先行技術文献】
【特許文献】
【０００４】
【特許文献１】特開２００５−３４１１８２号公報
【発明の概要】
【発明が解決しようとする課題】
【０００５】
しかしながら、上記特許文献１の料理レシピ編集提示システムでは、次に見たい分割ファイルをユーザ自らが順次選択しながら料理の作業を進めていく必要があるので、ユーザに負担がかかり、利便性が低いという問題がある。
【０００６】
この発明は、上記のような課題を解決するためになされたものであり、この発明の１つの目的は、分割コンテンツを表示させながら作業を進める際のユーザの利便性を向上させることが可能な情報端末装置を提供することである。
【課題を解決するための手段】
【０００７】
この発明の一の局面による情報端末装置では、表示部と、ユーザに対して作業手順を教示する教示型コンテンツを解析して作業手順に沿って複数の分割コンテンツに分割するとともに、複数の分割コンテンツを順次表示する際に、表示の動作の進行に関する問い合わせを行う制御部とを備える。
【０００８】
この発明の一の局面による情報端末装置では、上記のように、複数の分割コンテンツを順次表示する際に、表示の動作の進行に関する問い合わせを行う制御部を設けることによって、ユーザは次に表示する分割コンテンツを選択することなく問い合わせに対して応答するだけで自分の作業の進行状況に沿って分割コンテンツが表示されるので、容易に作業を進めていくことができる。その結果、分割コンテンツを表示させながら作業を進める際のユーザの利便性を向上させることができる。また、制御部により、教示型コンテンツを解析して作業手順に沿って分割することによって、単に所定時間ごとや所定の情報量ごとに分割する場合とは異なり、複数の分割コンテンツを作業手順に沿って容易に自動的に表示することができる。
【０００９】
上記一の局面による情報端末装置において、好ましくは、制御部は、教示型コンテンツに含まれるテキスト情報に基づいて教示型コンテンツを解析して作業手順に沿って複数の分割コンテンツに分割するように構成されている。このように構成すれば、テキスト情報に基づいて教示型コンテンツを容易に解析することができるので、教示型コンテンツを作業手順に沿って複数の分割コンテンツに容易に分割することができる。
【００１０】
この場合、好ましくは、制御部は、テキスト情報に含まれる書式情報に基づいて、教示型コンテンツを解析して作業手順に沿って複数の分割コンテンツに分割するように構成されている。このように構成すれば、テキストおよび画像の表示位置情報、フォント、文字サイズ、段落および段組みなどのテキスト情報に含まれる書式情報に基づいて、容易に教示型コンテンツを解析することができる。
【００１１】
上記テキスト情報に基づいて教示型コンテンツを解析する構成において、好ましくは、制御部は、テキスト情報が含む情報量に応じた時間、分割コンテンツを表示する制御を行うように構成されている。このように構成すれば、情報量に応じて分割コンテンツの表示時間を異ならせることができるので、個々の分割コンテンツに合わせてユーザが内容を把握するのに必要な時間分割コンテンツを表示することができる。
【００１２】
上記テキスト情報に基づいて教示型コンテンツを解析する構成において、好ましくは、制御部は、テキスト情報に時間情報が含まれる場合に、時間情報が所定時間以上の場合には、分割コンテンツを表示した後、残りの時間、別の動作を行うように構成されている。このように構成すれば、表示する分割コンテンツに対応する作業が比較的長い時間を要する作業の場合に、ユーザが分割コンテンツの内容を把握した後の余った時間に、作業中のユーザに対して、音楽を流したりニュースサイトを表示したりして別の動作によるサービスを提供することができる。
【００１３】
上記テキスト情報に基づいて教示型コンテンツを解析する構成において、好ましくは、制御部は、教示型コンテンツのテキスト情報の配置位置に基づいて左側から右側に向かって、かつ、上方から下方に向かってテキスト情報を順次分割することにより、教示型コンテンツを作業手順に沿うように複数の分割コンテンツに分割するように構成されている。ここで、教示型コンテンツにおいては、一般的に左側から右側に向かってまたは上方から下方に向かって作業手順が順番に表示されることが多いことを考慮して、上記ように、左側から右側に向かって、かつ、上方から下方に向かってテキスト情報を順次分割することにより、テキストの配置位置に基づいて容易に作業手順に沿うように教示型コンテンツを分割することができる。
【００１４】
上記一の局面による情報端末装置において、好ましくは、制御部は、作業手順に沿って分割された複数の分割コンテンツの表示が切り替えられるタイミングで表示の動作の進行に関する問い合わせを行う。このように構成すれば、分割コンテンツごとに作業を終了したことを確認しながら表示の動作の進行を行うことができるので、ユーザの作業の進行状況により合致するように表示の動作を進行させて作業手順を教示することができる。
【００１５】
この場合、好ましくは、制御部は、複数の分割コンテンツの表示が切り替えられるタイミングで、表示の動作の進行に関する問い合わせとして次の分割コンテンツを表示してよいかの問い合わせを行うように構成されている。このように構成すれば、ユーザの応答に基づいて次の分割コンテンツが表示されるので、容易に、ユーザの作業の進行状況に合致して表示の動作を進行させることができる。
【００１６】
上記一の局面による情報端末装置において、好ましくは、制御部は、表示の動作の進行に関する問い合わせとして、複数の分割コンテンツを一覧表示して次に表示する分割コンテンツをユーザに選択するよう問い合わせるように構成されている。このように構成すれば、作業手順を間違ってしまった場合などに、一覧表示された複数の分割コンテンツから選択するだけで容易に所望の分割コンテンツに戻って表示させることができる。
【００１７】
上記一の局面による情報端末装置において、好ましくは、制御部は、作業手順に沿って分割された複数の分割コンテンツを拡大して表示部に表示するように構成されている。このように構成すれば、分割コンテンツの視認性を向上させることができる。
【００１８】
上記一の局面による情報端末装置において、好ましくは、音声を再生可能な音声再生部をさらに備え、制御部は、分割コンテンツが含むテキスト情報を音声に変換し、変換された音声を音声再生部から再生する制御を行うように構成されている。このように構成すれば、音声により分割コンテンツの内容をユーザに提供することができるので、ユーザは、表示部に表示された分割コンテンツを見ることなく作業を進めることができる。これにより、ユーザの作業性を向上させることができる。
【００１９】
上記一の局面による情報端末装置において、好ましくは、ネットワークに接続可能な通信部をさらに備え、通信部は、ネットワークを介して教示型コンテンツを取得し、制御部は、通信部がネットワークを介して取得した教示型コンテンツを解析して作業手順に沿って複数の分割コンテンツに分割するように構成されている。このように構成すれば、インターネットのウェブサイトなどのネットワーク上にある教示型コンテンツに基づく分割コンテンツを、ユーザの作業の進行状況に沿って順次表示することができる。
【００２０】
上記一の局面による情報端末装置において、好ましくは、教示型コンテンツを解析して作業手順に沿って分割された複数の分割コンテンツを記憶する記憶部をさらに備え、制御部は、記憶部に記憶された複数の分割コンテンツを順次表示する制御を行うように構成されている。このように構成すれば、記憶部に記憶された分割コンテンツを、ユーザの作業の進行状況に沿って順次表示することができる。
【００２１】
上記一の局面による情報端末装置において、好ましくは、表示の動作の進行に関する問い合わせに対して、音声による指示情報を受け付けるマイクロフォン、映像による指示情報を受け付けるカメラおよび振動による指示情報を受け付ける振動センサのうちの少なくとも１つをさらに備え、制御部は、マイクロフォン、カメラおよび振動センサのうちの少なくとも１つから受け付けられた表示の動作の問い合わせに対する指示情報に基づいて、複数の分割コンテンツの表示動作を制御するように構成されている。このように構成すれば、タッチパネルやキーボードを介してユーザから情報を受け取る場合とは異なり、ユーザはより容易に表示の動作の進行に関する問い合わせに対して応答することができるので、分割コンテンツを表示させながら作業を進める際のユーザの利便性をより向上させることができる。
【発明の効果】
【００２２】
本発明によれば、上記のように、分割コンテンツを表示させながら作業を進める際のユーザの利便性を向上させることができる。
【図面の簡単な説明】
【００２３】
【図１】本発明の一実施形態によるタブレットの構成を示したブロック図である。
【図２】本発明の一実施形態によるタブレットにウェブコンテンツを表示した図である。
【図３】本発明の一実施形態によるタブレットに分割コンテンツを表示した図である。
【図４】本発明の一実施形態によるタブレットに分割コンテンツを拡大して表示した図である。
【図５】本発明の一実施形態によるタブレットにユーザに対する問い合わせを表示した図である。
【図６】図４の分割コンテンツの次の分割コンテンツを拡大して表示した図である。
【図７】本発明の一実施形態によるタブレットに分割コンテンツの一覧とユーザに対する問い合わせとを表示した図である。
【図８】本発明の一実施形態によるタブレットに表示されたウェブページのテキストデータおよび画像データにそれぞれテキスト番号および画像番号を付した状態を示した図である。
【図９】本発明の一実施形態によるタブレットに表示されたウェブページを分割コンテンツに分割する方法を説明するための図である。
【図１０】本発明の一実施形態によるタブレットの全体処理を説明するためのフローチャートである。
【図１１】本発明の一実施形態によるタブレットの全体処理を説明するためのフローチャートである。
【図１２】本発明の一実施形態によるタブレットのユーザへの問合せおよびユーザの応答を示す図である。
【図１３】本発明の一実施形態によるタブレットのユーザへの他の問合せおよびユーザの応答を示す図である。
【図１４】図１０のステップＳ６におけるウェブコンテンツ解析処理を説明するためのフローチャートである。
【図１５】図１０のステップＳ１０における分割コンテンツ表示処理を説明するためのフローチャートである。
【発明を実施するための形態】
【００２４】
以下、本発明を具体化した実施形態を図面に基づいて説明する。
【００２５】
図１〜図９を参照して、本発明の一実施形態によるタブレット１００の構成を説明する。
【００２６】
本発明の一実施形態によるタブレット１００は、図１に示すように、ネットワークに接続可能な通信部１と、データを記憶するデータ記憶部２と、音声による情報を受け付けるマイクロフォン３と、映像による情報を受け付けるカメラ４と、振動による情報を受け付ける振動センサ５とを備えている。また、タブレット１００は、ウェブコンテンツ１０を解析する解析プログラムが記憶されているプログラム記憶部６と、音声を出力する音声再生部７と、情報を表示する表示部８と、タブレット１００の動作を制御する制御部９とを備えている。なお、データ記憶部２は、本発明の「記憶部」の一例である。また、ウェブコンテンツ１０は、本発明の「教示型コンテンツ」の一例である。また、タブレット１００は、本発明の「情報端末装置」の一例である。
【００２７】
通信部１は、インターネットを介してウェブコンテンツ１０（図２参照）を取得するように構成されている。また、ウェブコンテンツ１０のＨＴＭＬなどからなるテキスト情報には、テキストを表示するためのテキストデータＴ（図８参照）が含まれている。また、テキストデータＴは、テキストデータＴに対応するテキストがウェブコンテンツ１０において表示される位置情報を含んでいる。また、ウェブコンテンツ１０のテキスト情報には、ウェブコンテンツ１０の画像を表示するための画像データＩ（図８参照）が含まれている。また、画像データＩは、画像データＩに対応する画像がウェブコンテンツ１０において表示される位置情報を含んでいる。なお、図２に示すウェブコンテンツ１０のテキスト情報には、テキストデータＴおよび画像データＩだけが含まれるが、ウェブコンテンツによっては映像または音声データＭが含まれていることもある。通信部１により受信されたウェブコンテンツ１０は、不揮発性のデータ記憶部２に保存される。また、データ記憶部２は、後述するウェブコンテンツ１０を解析して作業手順に沿って分割された複数の分割コンテンツ２０ａ〜２０ｈ（図３参照）を記憶するように構成されている。なお、インターネットは、本発明の「ネットワーク」の一例である。
【００２８】
マイクロフォン３は、表示の動作の進行に関する問い合わせに対して、音声による指示情報を受け付けるように構成されている。マイクロフォン３により受け付けられた音声に関する情報は、制御部９により解析される。すなわち、制御部９は音声認識機能を有している。たとえば、「はい」という音声は、制御部９からの問い合わせに対して肯定的な返答をしたと解釈される。また、「いいえ」という音声は、制御部９からの問い合わせに対して否定的な返答をしたと解釈される。また、「いち、に、・・・」とうい音声は、それぞれの数字（「１、２、…」）を指定したと解釈される。
【００２９】
また、カメラ４は、表示の動作の進行に関する問い合わせに対して、映像による指示情報を受け付けるように構成されている。カメラ４により受け付けられた映像に関する情報は、制御部９により解析される。すなわち、制御部９は画像識別機能を有している。たとえば、ユーザが顔を上下方向に動かした場合の映像は、制御部９からの問い合わせに対して肯定的な返答をしたと解釈される。また、ユーザが顔を左右方向に動かした場合の映像は、制御部９からの問い合わせに対して否定的な返答をしたと解釈される。また、カメラ４で認識される情報は、たとえば、ユーザの顔の動きや口の動きなどであってもよい。
【００３０】
また、振動センサ５は、表示の動作の進行に関する問い合わせに対して、振動による指示情報を受け付けるように構成されている。振動センサ５により受け付けられた振動に関する情報は、制御部９により解析される。すなわち、制御部９は振動認識機能を有している。たとえば、ユーザがタブレット１００の置かれている台を１回小突いた場合の振動は、制御部９からの問い合わせに対して肯定的な返答をしたと解釈される。また、ユーザがタブレット１００の置かれている台を２回小突いた場合の振動は、制御部９からの問い合わせに対して否定的な返答をしたと解釈される。また、振動センサ５で認識される情報は、たとえば、タブレット１００を小突いた際の振動や包丁を使用した際の振動などであってもよい。
【００３１】
また、タブレット１００の操作をマイクロフォン３、カメラ４および振動センサ５のうちのいずれで行うかは、タブレット１００の環境設定モードにおいてユーザが予め設定しておく。
【００３２】
不揮発性のプログラム記憶部６には、制御部９によりウェブコンテンツ１０が解析される際に用いられる解析プログラムが記憶されている。
【００３３】
音声再生部７は、図１に示すように、制御部９からの指示に基づいて、音声を再生するように構成されている。
【００３４】
表示部８は、図２〜図７に示すように、制御部９の指示に基づいて、情報を表示するように構成されている。また、表示部８は、画面をスクロールすることにより、表示されている領域以外の領域を表示させることが可能なように構成されている。
【００３５】
ここで、本実施形態では、制御部９は、ユーザに対して作業手順を教示するウェブコンテンツ１０に含まれるテキスト情報を解析するように構成されている。また、制御部９は、テキスト情報の解析結果に基づいて、作業手順に沿って複数の分割コンテンツ２０ａ〜２０ｈに分割する制御を行うように構成されている。また、制御部９は、図２および図３に示すように、取得したウェブコンテンツ１０を複数の分割コンテンツ２０ａ〜２０ｈに分割するように構成されている。また、制御部９は、テキスト情報に含まれる書式情報に基づいて、ウェブコンテンツ１０を複数の分割コンテンツ２０ａ〜２０ｈに分割するように構成されている。また、テキスト情報に含まれる書式情報には、たとえば、ウェブコンテンツ１０上に配置されるテキストおよび画像の位置情報や、ウェブコンテンツ１０上における段落、文字サイズ、フォントおよび段組みなどが含まれる。
【００３６】
制御部９は、図８に示すように、ウェブコンテンツ１０のテキストデータＴおよび画像データＩの配置位置に基づいて左側から右側に向かって、かつ、上方から下方に向かってテキスト情報を順次分割することにより、ウェブコンテンツ１０を作業手順に沿うように複数の分割コンテンツに分割するように構成されている。制御部９は、プログラム記憶部６（図１参照）に記憶されている解析プログラムを用いて、ウェブコンテンツ１０を作業手順に沿うように複数の分割コンテンツ２０ａ〜２０ｈに分割する。
【００３７】
具体的には、制御部９は、図８に示すように、ウェブコンテンツ１０のテキストデータＴおよび画像データＩの左側から右側に向かって、昇順になるようにテキストデータＴおよび画像データＩに対して、ぞれぞれ、テキスト番号および画像番号を割り当てる制御を行うように構成されている。また、制御部９は、ウェブコンテンツ１０のテキストデータＴおよび画像データＩの上方から下方に向かって、昇順になるようにテキストデータＴおよび画像データＩに対して、ぞれぞれ、テキスト番号および画像番号を割り当てる制御を行うように構成されている。
【００３８】
また、制御部９は、図８および図９に示すように、テキストデータＴおよび画像データＩの位置情報に基づいて、ウェブコンテンツ１０において近隣に表示されているテキストおよび画像を関連づけてテキストデータＴおよび画像データＩを並び変えるように構成されている。制御部９は、並び変えられたテキストデータＴおよび画像データＩを組み合わせて分割コンテンツデータＳを生成するように構成されている。これにより、ウェブコンテンツ１０は、作業手順に沿うように複数の分割コンテンツ２０ａ〜２０ｈに分割される。
【００３９】
また、制御部９は、データ記憶部２に記憶された複数の分割コンテンツ２０ａ〜２０ｈを順次表示する制御を行うように構成されている。また、制御部９は、図４および図６に示すように、作業手順に該当する分割コンテンツ２０ａ〜２０ｈを拡大して表示部８に表示するように構成されている。また、制御部９は、図５および図７に示すように、複数の分割コンテンツ２０ａ〜２０ｈを順次表示する際に、表示の動作の進行に関する問い合わせを行うように構成されている。また、制御部９は、作業手順に沿って分割された複数の分割コンテンツ２０ａ〜２０ｈの表示が切り替えられるタイミングで表示の動作の進行に関する問い合わせを行うように構成されている。また、制御部９は、図５に示すように、表示の動作の進行に関する問い合わせとして次の分割コンテンツ２０ｇを表示してよいかの問い合わせを行うように構成されている。
【００４０】
また、制御部９は、図７に示すように、作業手順に沿った次の分割コンテンツを表示しない場合には、表示の動作の進行に関する問い合わせとして、複数の分割コンテンツ２０ａ〜２０ｈをサムネイル形式で一覧表示して次に表示する分割コンテンツをユーザに選択するよう問い合わせるように構成されている。
【００４１】
制御部９は、テキスト情報が含む情報量に応じた時間、分割コンテンツ２０ａ〜２０ｈを表示する制御を行うように構成されている。また、制御部９は、テキスト情報に時間情報が含まれる場合に、時間情報が所定時間（たとえば、１分間）以上の場合には、対応する分割コンテンツを表示した後、残りの時間、別の動作を行うように構成されている。たとえば、ゆで時間が１０分という時間情報がテキスト情報に含まれている場合、制御部９は、対応する分割コンテンツを１分間表示した後、残りの９分間別の動作を行う。また、別の動作としては、音楽の再生や、インターネットを介して取得した現在の料理テーマに関連するコンテンツの表示、インターネットを介して取得したニュース等の表示などを行ってもよい。
【００４２】
また、制御部９は、テキスト情報に時間情報が含まれない場合、または、テキスト情報に含まれる時間情報が所定時間（たとえば、１分間）未満の場合には、分割コンテンツ２０ａ〜２０ｈのテキストデータＴの情報量に応じた時間、分割コンテンツ２０ａ〜２０ｈを表示するように構成されている。具体的には、分割コンテンツ２０ａ〜２０ｈのテキストデータＴが１００字未満の場合には、分割コンテンツ２０ａ〜２０ｈが１５秒間表示される。また、分割コンテンツ２０ａ〜２０ｈのテキストデータＴが１００字以上２００字未満の場合には、分割コンテンツ２０ａ〜２０ｈが３０秒間表示される。また、分割コンテンツ２０ａ〜２０ｈのテキストデータＴが２００字以上の場合には、分割コンテンツ２０ａ〜２０ｈが４５秒間表示される。
【００４３】
制御部９は、ユーザからの応答としてのマイクロフォン３、カメラ４および振動センサ５のうちのいずれかにより受け付けられた情報に基づいた制御を行うように構成されている。また、タブレット１００は、ユーザに対して表示の動作の進行に関する問い合わせを行うインタラクティブモードにするか否かの設定をユーザが任意に設定可能なように構成されている。
【００４４】
次に、図１０〜図１３を参照して、本実施形態のタブレット１００の制御部９による全体の処理フローついて説明する。
【００４５】
まず、ユーザによって、インターネットに接続され、ウェブコンテンツ１０が取得される。ステップＳ１において、インタラクティブモードであるか否かが判断される。インタラクティブモードであると判断された場合には、ステップＳ６に進む。インタラクティブモードでないと判断された場合、ステップＳ２に進む。ステップＳ２において、制御部９は、インタラクティブモードに設定するかという問い合わせを行う。
【００４６】
次に、ステップＳ３において、「はい」が選択されたか否かが判断される。この際、マイクロフォン３、カメラ４または振動センサ５のいずれかにより受け付けられたユーザの応答に基づいて判断される。「はい」でない旨の応答を受け付けると、ステップＳ４に進み、通常モード（非インタラクティブモード）に設定される。また、マイクロフォン３、カメラ４および振動センサ５から、「はい」という旨の応答を受け付けると、ステップＳ５に進みインタラクティブモードに設定される。
【００４７】
次に、ステップＳ６において、ウェブコンテンツ解析処理が実行され、ウェブコンテンツ１０は分割コンテンツ２０ａ〜２０ｈに分割される。なお、ステップＳ６のウェブコンテンツ解析処理についての詳細な説明は後述する。
【００４８】
次に、ステップＳ７において、１番目の分割コンテンツ２０ａから表示が開始されるように分割コンテンツデータＳｎの表示番号Ｎが１に設定される。そして、ステップＳ８において、１番目の分割コンテンツ２０ａを開始するかという問い合わせを行う。
【００４９】
次に、ステップＳ９において、「はい」が選択されたか否かが判断される。「はい」という旨の応答があるまでこの判断が繰り返され、「はい」という旨の応答があると、ステップＳ１０に進む。そして、ステップＳ１０において、Ｎ番目の分割コンテンツ表示処理が実行される。なお、ステップＳ１０のＮ番目の分割コンテンツ表示処理についての詳細な説明は後述する。
【００５０】
次に、ステップＳ１１において、最後の分割コンテンツ２０ｈが表示されたか否かが判断される。ステップＳ１１において、最後の分割コンテンツ２０ｈが表示されたと判断された場合には、全体の処理を終了する。また、最後の分割コンテンツ２０ｈでない場合には、ステップＳ１２に進む。
【００５１】
ステップＳ１２において、次の分割コンテンツを表示してもよいかという問い合わせを行う。そして、ステップＳ１３に進み、「はい」が選択されたか否かが判断される。
【００５２】
「はい」が選択された場合には、ステップＳ１４に進む。ステップＳ１４において、分割コンテンツの表示番号ＮがＮ＋１に設定される。そして、ステップＳ１０に進み、次の分割コンテンツが表示される。ここで、図１２を参照して、ステップＳ１０〜ステップＳ１４における、一連のやり取りについて説明する。まず、表示した分割コンテンツが最後の分割コンテンツでない場合には、ステップＳ１２で、タブレット１００からユーザに対して、「次の分割コンテンツを表示してもよいか？」という問い合わせが行われる。それに対して、ユーザが「はい」と応答すると、ステップＳ１３の判断を経て次の分割コンテンツが表示される。このように、分割コンテンツの切り替えのタイミングで行われる表示の動作に関する問い合わせと、それに対するユーザの応答とが繰り返されることによりユーザの作業の進行状況に沿って分割コンテンツが順次表示される。
【００５３】
ステップＳ１３において、ユーザにより間違ったが選択された（否定的な応答）と判断された場合には、ステップＳ１５に進み、図７に示すように、次に再生する分割コンテンツ２０ａ〜２０ｈの候補が表示されるとともに表示する分割コンテンツ２０ａ〜２０ｈの選択に関する問い合わせがされる。具体的には、分割コンテンツ２０ａ〜２０ｈのサムネイル画像が表示されるとともに、どこに戻るかの問い合わせが行われる。
【００５４】
次に、ステップＳ１６に進み、ユーザから表示番号Ｎが入力されたか否かが判断される。ユーザからの表示番号Ｎが入力されるまでこの判断が繰り返され、表示番号Ｎが入力された場合には、ステップＳ１７に進む。
【００５５】
そして、ステップＳ１７において、ユーザが指定した分割コンテンツの表示番号Ｎに設定されると、ステップＳ１０に進む。ここで、図１３を参照して、ステップＳ１０〜ステップＳ１３およびステップＳ１５〜ステップＳ１７における、一連のやり取りについて説明する。まず、「次の分割コンテンツを表示してもよいか？」の問い合わせに対して「間違った」が選択された場合には、ステップＳ１５で、タブレット１００からユーザに対して、分割コンテンツ２０ａ〜２０ｈのサムネイル画像の表示とともに、「どこに戻りますか？」の問い合わせが行われる。それに対して、ユーザが分割コンテンツの表示番号Ｎを入力すると表示番号Ｎがセットされ、ステップＳ１０でＮ番目の分割コンテンツが表示される。このように、分割コンテンツの切り替えのタイミングで行われる表示の動作に関する問い合わせと、それに対するユーザの応答とが繰り返されることによりユーザの作業の進行状況に沿って分割コンテンツが順次表示される。
【００５６】
次に、図１４を参照して、図１１のステップＳ１０におけるウェブコンテンツ解析処理について説明する。
【００５７】
ステップＳ１８において、ウェブコンテンツ１０が読み込まれる。ステップＳ１９において、ウェブコンテンツ１０に画像が含まれるか否かが判断される。ウェブコンテンツ１０に画像が含まれると判断された場合には、ステップＳ２０に進む。また、ウェブコンテンツ１０に画像が含まれない場合には、ステップＳ２１に進む。
【００５８】
ステップＳ２０において、図８に示すように、画像データＩの左側から右側に向かって、かつ、上方から下方に向かって、各画像データＩに対して昇順になるように画像番号ｘ（ｘ＝１、２、…）が割り当てられる。そして、画像番号ｘ（ｘ＝１、２、…）が画像データＩに割り当てられると、ステップＳ２１に進む。
【００５９】
ステップＳ２１において、ウェブコンテンツ１０が映像または音声を含むか否かが判断される。ウェブコンテンツ１０が映像または音声を含む場合には、ステップＳ２２に進む。また、ウェブコンテンツ１０が映像または音声を含まない場合には、ステップＳ２３に進む。
【００６０】
ステップＳ２２において、画像データＩと同様に、映像または音声データＭの左側から右側に向かって、かつ、上方から下方に向かって、昇順になるように各映像または音声データＭに対して映像音声番号ｙ（ｙ＝１、２、…）が割り当てられる。そして、映像音声番号ｙ（ｙ＝１、２、…）が映像または音声データＭに割り当てられると、ステップＳ２３に進む。
【００６１】
ステップＳ２３において、図８に示すように、テキストデータＴの左側から右側に向かって、かつ、上方から下方に向かって、昇順になるように各テキストデータＴに対してテキスト番号ｚ（ｚ＝１、２、…）が割り当てられる。そして、テキスト番号ｚ（ｚ＝１、２、…）がテキストデータＴに割り当てられると、ステップＳ２４に進む。
【００６２】
ステップＳ２４において、画像データＩｘ（ｘ＝１、２、…）が、画像データＩｘに含まれる位置情報に基づいて並び変えられる。また、映像または音声データＭｙ（ｙ＝１、２、…）が、映像または音声データＭｙに含まれる位置情報に基づいて並び変えられる。また、テキストデータＴｚ（ｚ＝１、２、…）が、テキストデータＴｚに含まれる位置情報に基づいて並び変えられる。これにより、ウェブコンテンツにおいて近隣に表示されている画像と、映像および音声と、テキストとに対応するデータが関連づけられるように、画像データＩｘ、音声データＭｙおよびテキストデータＴｚが並び変えられる。
【００６３】
次に、ステップＳ２５において、ウェブコンテンツ上の位置情報に基づいて並び変えられた、画像データＩｘ、映像または音声データＭｙ、および、テキストデータＴｚを１つのデータにまとめて分割コンテンツデータＳｎ（ｎ＝１、２…）が生成される。
【００６４】
そして、ステップＳ２６において、分割コンテンツデータＳｎがデータ記憶部２に記憶される。
【００６５】
次に、図１５のステップＳ１０におけるＮ番目の分割コンテンツ表示処理について説明する。
【００６６】
まず、ステップＳ２７において、分割コンテンツデータＳｎが読み込まれる。
【００６７】
次に、ステップＳ２８において、分割コンテンツデータＳｎに画像データＩｘが含まれるか否かが判断される。分割コンテンツデータＳｎに画像データＩｘが含まれない場合には、ステップＳ３０に進む。また、分割コンテンツデータＳｎに画像データＩｘが含まれる場合には、図６に示すように、ステップＳ２９に進み画像データＩｘに対応する画像が拡大表示される。
【００６８】
次に、ステップＳ３０において、分割コンテンツデータＳｎに映像または音声データＭｙが含まれるか否かが判断される。分割コンテンツデータＳｎに映像または音声データＭｙが含まれない場合には、ステップＳ３２に進む。また、分割コンテンツデータＳｎに映像または音声データＭｙが含まれる場合には、ステップＳ３１に進み映像または音声データＭｙに対応する映像または音声データが再生される。そして、ステップＳ３２に進む。
【００６９】
次に、ステップＳ３２において、図６に示すように、テキストデータＴｚに対応するテキストが表示される。次に、ステップＳ３３において、テキストデータＴｚに所定時間以上の時間情報が含まれるか否かが判断される。テキストデータＴｚに所定時間（たとえば、１分間）以上の時間情報が含まれない場合（テキストデータＴｚに時間情報が含まれない場合およびテキストデータＴｚに所定時間未満の時間情報が含まれる場合）には、ステップＳ３４に進む。ステップＳ３４において、テキストデータＴｚの長さに応じた時間（たとえば、１５秒間）分割コンテンツ２０ａ〜２０ｈが表示される。
【００７０】
また、ステップＳ３５において、テキストデータＴｚに所定時間（たとえば、１分間）以上の時間情報が含まれると判断された場合には、ステップＳ３５に進む。ステップＳ３５において、所定時間表示し、その後残りの時間所定動作（たとえば、音楽再生）が行われる。
【００７１】
本実施形態では、上記のように、複数の分割コンテンツ２０ａ〜２０ｈを順次表示する際に、表示の動作の進行に関する問い合わせを行う制御部９を設けることによって、ユーザは次に表示する分割コンテンツ２０ａ〜２０ｈを選択することなく問い合わせに対して応答するだけで自分の作業の進行状況に沿って分割コンテンツ２０ａ〜２０ｈが表示されるので、容易に作業を進めていくことができる。その結果、分割コンテンツ２０ａ〜２０ｈを表示させながら作業を進める際のユーザの利便性を向上させることができる。また、制御部９により、ウェブコンテンツ１０を解析して作業手順に沿って分割することによって、単に所定時間ごとや所定の情報量ごとに分割する場合とは異なり、複数の分割コンテンツ２０ａ〜２０ｈを作業手順に沿って容易に自動的に表示することができる。
【００７２】
本実施形態では、上記のように、制御部９を、ウェブコンテンツ１０に含まれるテキストデータＴおよび画像データＩに基づいてウェブコンテンツ１０を解析して作業手順に沿って複数の分割コンテンツ２０ａ〜２０ｈに分割するように構成することによって、テキストデータＴおよび画像データＩに基づいてウェブコンテンツ１０を容易に解析することができるので、ウェブコンテンツ１０を作業手順に沿って複数の分割コンテンツ２０ａ〜２０ｈに容易に分割することができる。
【００７３】
本実施形態では、上記のように、制御部９を、ウェブコンテンツ１０上に配置されるテキストデータＴおよび画像データＩに含まれる位置情報に基づいて、ウェブコンテンツ１０を解析して作業手順に沿って複数の分割コンテンツ２０ａ〜２０ｈに分割するように構成することによって、テキストデータＴおよび画像データＩの位置情報に基づいて、容易にウェブコンテンツ１０を解析することができる。
【００７４】
本実施形態では、上記のように、制御部９を、テキストデータＴが含む情報量に応じた時間、分割コンテンツ２０ａ〜２０ｈを表示する制御を行うように構成することによって、情報量に応じて分割コンテンツ２０ａ〜２０ｈの表示時間を異ならせることができるので、個々の分割コンテンツ２０ａ〜２０ｈに合わせてユーザが内容を把握するのに必要な時間分割コンテンツ２０ａ〜２０ｈを表示することができる。
【００７５】
本実施形態では、上記のように、制御部９を、テキストデータＴに時間情報が含まれる場合に、時間情報が所定時間以上の場合には、分割コンテンツ２０ａ〜２０ｈを表示した後、残りの時間、別の動作を行うように構成することによって、表示する分割コンテンツ２０ａ〜２０ｈに対応する作業が比較的長い時間を要する作業の場合に、ユーザが分割コンテンツ２０ａ〜２０ｈの内容を把握した後の余った時間に、作業中のユーザに対して、音楽を流したりして別の動作によるサービスを提供することができる。
【００７６】
本実施形態では、上記のように、制御部９を、ウェブコンテンツ１０のテキストデータＴおよび画像データＩの配置位置に基づいて左側から右側に向かって、かつ、上方から下方に向かってテキストデータＴおよび画像データＩを順次分割することにより、ウェブコンテンツ１０を作業手順に沿うように複数の分割コンテンツ２０ａ〜２０ｈに分割するように構成することによって、ウェブコンテンツ１０においては、一般的に左側から右側に向かってまたは上方から下方に向かって作業手順が順番に表示されることが多いことを考慮して、左側から右側に向かって、かつ、上方から下方に向かってテキストデータＴおよび画像データＩを順次分割することにより、テキストの配置位置に基づいて容易に作業手順に沿うようにウェブコンテンツ１０を分割することができる。
【００７７】
本実施形態では、上記のように、制御部９を、作業手順に沿って分割された複数の分割コンテンツ２０ａ〜２０ｈの表示が切り替えられるタイミングで表示の動作の進行に関する問い合わせを行うように構成することによって、分割コンテンツ２０ａ〜２０ｈごとに作業を終了したことを確認しながら表示の動作の進行を行うことができるので、ユーザの作業の進行状況により合致するように表示の動作を進行させて作業手順を教示することができる。
【００７８】
本実施形態では、上記のように、制御部９を、複数の分割コンテンツ２０ａ〜２０ｈの表示が切り替えられるタイミングで、表示の動作の進行に関する問い合わせとして次の分割コンテンツ２０ａ〜２０ｈを表示してよいかの問い合わせを行うように構成することによって、ユーザの応答に基づいて次の分割コンテンツ２０ａ〜２０ｈが表示されるので、容易に、ユーザの作業の進行状況に合致して表示の動作を進行させることができる。
【００７９】
本実施形態では、上記のように、制御部９を、表示の動作の進行に関する問い合わせとして、複数の分割コンテンツ２０ａ〜２０ｈを一覧表示して次に表示する分割コンテンツ２０ａ〜２０ｈをユーザに選択するよう問い合わせるように構成することによって、作業手順を間違ってしまった場合などに、一覧表示された複数の分割コンテンツ２０ａ〜２０ｈから選択するだけで容易に所望の分割コンテンツ２０ａ〜２０ｈに戻って表示させることができる。
【００８０】
本実施形態では、上記のように、制御部９を、作業手順に沿って分割された複数の分割コンテンツ２０ａ〜２０ｈを拡大して表示部に表示するように構成することによって、分割コンテンツ２０ａ〜２０ｈの視認性を向上させることができる。
【００８１】
本実施形態では、上記のように、ネットワークに接続可能な通信部１をさらに設け、通信部１がネットワークを介して取得したウェブコンテンツ１０を解析して作業手順に沿って複数の分割コンテンツ２０ａ〜２０ｈに分割するように制御部９を構成することによって、ネットワーク上にあるウェブコンテンツ１０に基づく分割コンテンツ２０ａ〜２０ｈを、ユーザの作業の進行状況に沿って順次表示することができる。
【００８２】
本実施形態では、上記のように、ウェブコンテンツ１０を解析して作業手順に沿って分割された複数の分割コンテンツ２０ａ〜２０ｈを記憶するデータ記憶部２をさらに備え、データ記憶部２に記憶された複数の分割コンテンツ２０ａ〜２０ｈを順次表示する制御を行うように制御部９を構成することによって、データ記憶部２に記憶された分割コンテンツ２０ａ〜２０ｈを、ユーザの作業の進行状況に沿って順次表示することができる。
【００８３】
本実施形態では、上記のように、表示の動作の進行に関する問い合わせに対して、音声による指示情報を受け付けるマイクロフォン３、映像による指示情報を受け付けるカメラ４および振動による指示情報を受け付ける振動センサ５を設け、マイクロフォン３、カメラ４および振動センサ５のうちの少なくとも１つから受け付けられた表示の動作の問い合わせに対する指示情報に基づいて、複数の分割コンテンツ２０ａ〜２０ｈの表示動作を制御するように制御部９を構成することによって、タッチパネルやキーボードを介してユーザから情報を受け取る場合とは異なり、ユーザはより容易に表示の動作の進行に関する問い合わせに対して応答することができるので、分割コンテンツ２０ａ〜２０ｈを表示させながら作業を進める際のユーザの利便性をより向上させることができる。
【００８４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００８５】
上記実施形態では、テキストデータおよび画像データからなる分割コンテンツを表示する例を示したが、本発明はこれに限られない。本発明では、テキストデータと、画像データと、映像データおよび音声データとのうちの少なくとも１つからなる分割コンテンツを表示してもよい。
【００８６】
上記実施形態では、テキストデータに時間情報が含まれない場合、または、テキストデータに含まれる時間情報が所定時間（たとえば、１分間）未満の場合、テキストデータの文字数に応じた時間、分割コンテンツを表示する例を示したが、本発明はこれに限られない。本発明では、テキストデータの文字数以外の情報量に応じた時間、分割コンテンツを表示してもよい。
【００８７】
上記実施形態では、所定時間としての１分間以上の時間情報が含まれる場合に分割コンテンツを表示した後、残りの時間、別の動作を行う例を示したが、本発明はこれに限らない。本発明では、１分間未満または１分間よりも長い時間の時間情報が含まれる場合に分割コンテンツを表示した後、残りの時間、別の動作を行ってもよい。
【００８８】
上記実施形態では、テキストデータおよび画像データの位置情報に基づいて、教示型コンテンツを分割コンテンツに分割する例を示したが、本発明はこれに限られない。本発明では、位置情報以外の、たとえば、フォント、文字サイズ、段落および段組みなどに基づいて教示型コンテンツを分割コンテンツに分割してもよい。また、教示型コンテンツに表示されるテキストの意味内容を解釈して、その意味内容に基づいて教示型コンテンツを分割コンテンツに分割してもよい。
【００８９】
上記実施形態では、作業手順を間違ってしまった場合などに複数の分割コンテンツを一覧表示して、分割コンテンツを選択する例を示したが、本発明はこれに限られない。本発明では、分割コンテンツを一定時間間隔で順番に表示して、分割コンテンツを選択してもよい。
【００９０】
上記実施形態では、本発明の教示型コンテンツとしてのウェブコンテンツを解析して、分割コンテンツにした例を示したが、本発明はこれに限られない。本発明では、ウェブコンテンツ以外のコンテンツを解析して、分割コンテンツにしてもよい。
【００９１】
上記実施形態では、分割コンテンツのテキストデータを表示部に表示した例を示したが、本発明はこれに限られない。本発明では、分割コンテンツのテキストデータの表示に加えて、テキストデータを音声に変換して読み上げてもよい。これにより、音声により分割コンテンツの内容をユーザに提供することができるので、ユーザは、表示部に表示された分割コンテンツを見ることなく作業を進めることができる。これにより、ユーザの作業性を向上させることができる。
【００９２】
上記実施形態では、テキスト情報としてのテキストデータの時間情報が所定時間以上の場合には、所定時間分割コンテンツを表示した後、残りの時間、別の動作を行う例を示したが、本発明はこれに限られない。本発明では、分割コンテンツのテキストデータを音声として読み上げた場合には、表示した後で、かつ、読み上げに要した時間の後、残りの時間、別の動作を行ってもよい。
【００９３】
上記実施形態では、テキスト情報としてのテキストデータに所定時間（１分間）以上の時間情報が含まれる場合に、分割コンテンツを所定時間（１分間）表示した後、残りの時間、別の動作を行う例を示したが、本発明はこれに限られない。本発明では、テキスト情報としてのテキストデータに所定時間（１分間）以上の時間情報が含まれる場合に、分割コンテンツをテキストデータの文字数に応じた時間表示した後、残りの時間、別の動作を行ってもよい。
【００９４】
上記実施形態では、説明の便宜上、制御部の処理動作をスタート時はイベント駆動的に記載し、スタート以降の処理動作はフロー駆動的に記載したフローチャートを用いて説明したが、本発明はこれに限られない。制御部の処理動作を完全なイベント駆動型で行ってもよいし、完全なフロー駆動型で行ってもよいし、並行処理的に行ってもよい。
【符号の説明】
【００９５】
１  通信部
２  データ記憶部
３  マイクロフォン
４  カメラ
５  振動センサ
６  プログラム記憶部
７  音声再生部
８  表示部
９  制御部
１０  ウェブコンテンツ（教示型コンテンツ）
２０ａ〜２０ｊ  分割コンテンツ
１００  タブレット（情報端末装置）
【図１】
2013161446.tif 000003
【図２】
2013161446.tif 000004
【図３】
2013161446.tif 000005
【図４】
2013161446.tif 000006
【図５】
2013161446.tif 000007
【図６】
2013161446.tif 000008
【図７】
2013161446.tif 000009
【図８】
2013161446.tif 000010
【図９】
2013161446.tif 000011
【図１０】
2013161446.tif 000012
【図１１】
2013161446.tif 000013
【図１２】
2013161446.tif 000014
【図１３】
2013161446.tif 000015
【図１４】
2013161446.tif 000016
【図１５】
2013161446.tif 000017